(57)【要約】【課題】ドレンファンネルとドレン配管との接続に要する作業性を向上させる。【解決手段】駆体１に固定されたドレンファンネルにドレン配管４〜６を接続するドレン配管接続方法であって、ドレンファンネル３をドレン配管４〜６が接続されるドレン配管接続部３１と、駆体１の内部に設置された駆体内部配管２が接続される駆体内部配管接続部３２とに分離させた状態で各々形成し、ドレン配管接続部３１にドレン配管４〜６を接続する所定形状の貫通孔を形成してから、ドレン配管４〜６と貫通孔とを接続すると共に、ドレン配管接続部３１と駆体内部配管接続部３２とを接続する。【選択図】              図１
2004205342.tif 000002
【特許請求の範囲】
【請求項１】
駆体に固定されたドレンファンネルにドレン配管を接続するドレン配管接続方法であって、
ドレンファンネルをドレン配管が接続されるドレン配管接続部と、駆体の内部に設置された駆体内部配管が接続される駆体内部配管接続部とに分離させた状態で各々形成し、ドレン配管接続部にドレン配管を接続する所定形状の貫通孔を形成してから、ドレン配管と貫通孔とを接続すると共に、ドレン配管接続部と駆体内部配管接続部とを接続することを特徴とするドレン配管接続方法。
【請求項２】
駆体に固定されたドレンファンネルにドレン配管を接続するドレン配管接続方法であって、
上部に傾斜面を有したドレンファンネルの該傾斜面に貫通孔を形成し、ドレン配管を前記傾斜面に対して垂直に前記貫通孔に接続することを特徴とするドレン配管接続方法。
【請求項３】
駆体に固定されたドレンファンネルにドレン配管を接続するドレン配管接続方法であって、
ドレンファンネルに予め形成された長穴にドレン配管を差し込んでから前記長穴とドレン配管との隙間を溶接することを特徴とするドレン配管接続方法。
【発明の詳細な説明】
【０００１】
【発明の属する技術分野】
本発明は、駆体に固定されたドレンファンネルにドレン配管を接続するドレン配管接続方法に関する。
【０００２】
【従来の技術】
原子力発電所等の建物の駆体には、様々な場所で排出された廃水を送水するためのドレン配管が設置されている。ドレンファンネルは、廃水を送水する複数のドレン配管を水平方向から接続され、送水された廃水を駆体内部に設置された配管に流入させるものである。このドレンファンネルは、上記の通り、駆体内部に設置された配管に接続されているため、原子力発電所等の建物を建設する際に、下部を駆体内部に埋め込まれた状態で原子力発電所等の通路に設置される。また、このような通路は、人間が通行するため、ドレンファンネルは、できるだけ駆体の側壁部の近傍に、通行の邪魔にならないように設置される。同様に上記ドレン配管も通行の邪魔にならないようにできるだけ駆体の側壁部の近傍から、ドレンファンネルに水平に接続される。
【０００３】
【非特許文献１】
発明協会公開技報  公技番号９３−２９０６８
【非特許文献２】
発明協会公開技報  公技番号９１−１９３０９
【０００４】
【発明が解決しようとする課題】
このようなドレンファンネルとドレン配管を接続する際には、作業者が現場で、ドレンファンネルに貫通孔を形成し、その貫通孔にドレン配管を接合することによってドレンファンネルとドレン配管とを接続する。しかしながら、上述したようにドレンファンネルは、通路の側壁部近傍に設置されているために、ドリル等の貫通孔を形成するための機材がドレンファンネルと駆体の側壁部との間に入り込めないという問題が生じる。そのため、作業者は、ドリル等の機材を傾けた状態で貫通孔を形成するしかなく、極めて作業性が悪い。
【０００５】
本発明は、上述する問題点に鑑みてなされたもので、ドレンファンネルとドレン配管との接続に要する作業性を向上させることを目的とするものである。
【０００６】
【課題を解決するための手段】
上記目的を達成するために、本発明では、第１の手段として、駆体に固定されたドレンファンネルにドレン配管を接続するドレン配管接続方法であって、ドレンファンネルをドレン配管が接続されるドレン配管接続部と、駆体の内部に設置された駆体内部配管が接続される駆体内部配管接続部とに分離させた状態で各々形成し、ドレン配管接続部にドレン配管を接続する所定形状の貫通孔を形成してから、ドレン配管と貫通孔とを接続すると共に、ドレン配管接続部と駆体内部配管接続部とを接続するという構成を採用する。
【０００７】
第２の手段として、駆体に固定されたドレンファンネルにドレン配管を接続するドレン配管接続方法であって、上部に傾斜面を有したドレンファンネルの該傾斜面に貫通孔を形成し、ドレン配管を上記傾斜面に垂直に上記貫通孔に接続するという構成を採用する。
【０００８】
第３の手段として、駆体に固定されたドレンファンネルにドレン配管を接続するドレン配管接続方法であって、ドレンファンネルに予め形成された長穴にドレン配管を差し込んでから上記長穴とドレン配管との隙間を溶接するという構成を採用する。
【０００９】
【発明の実施の形態】
以下、図面を参照して、本発明に係わるドレン配管接続方法の一実施形態について説明する。
【００１０】
（第１実施形態）
図１は、本ドレン配管接続方法を用いて駆体に設置されたドレンファンネルの全体構成図である。この図において、符号１は駆体、２は駆体内部配管、３はドレンファンネル、４〜６はドレン配管である。
【００１１】
駆体１は、原子力発電所のコンクリート駆体であり、原子力発電所内部の通路を形成している。この駆体１は、通路の垂直な壁面を形成する側壁部１ａ（図において左側）と、水平な床面を形成する床部１ｂを有している。駆体内部配管２は、ドレン配管４〜６からドレンファンネル３を介して供給された廃水Ｘを外部に送水するためのものであり、上記床部１ｂの内部に設置されている。
【００１２】
ドレンファンネル３は、中空の略円筒形に形状設定されており、図２に示すように、ドレン配管４〜６が接続されるドレン配管接続部３１と上記駆体内部配管２に接続される駆体内部配管接続部３２とから構成されている。ドレン配管接続部３１の周面には、ドレン配管４〜６を接合するための貫通孔３１１〜３１３が形成されており、また駆体内部配管接続部３２の下部は、漏斗形状に形状設定されると共に、この漏斗形状の下部の先端には、供給された廃水Ｘを排出するための排出口３２１が設けられている。すなわち、上記ドレン配管接続部３１と駆体内部配管接続部３２を接続することによって下部が漏斗形状に形状設定され、周面の上部に貫通孔３１１〜３１３が形成された中空の略円筒形状のドレンファンネル３が構成される。
【００１３】
さて、図１の説明を続けると、上記駆体内部配管接続部３２は、下部が床部１ｂに埋め込まれた状態で設置されると共に、駆体内部配管２に接続される。すなわち、上記漏斗形状に形状設定された下部がコンクリートの中に埋め込まれて固定されると共に、上記排出口３２１が駆体内部配管２の途中部位に接続される。
また、駆体内部配管接続部３２、すなわちドレンファンネル３は、駆体内部配管接続部３２と上記側壁部１ａとの間にドレン配管４〜６が入り込める程度の隙間を空けつつも、できるだけ側壁部１ａの近傍に固定される。そして、駆体内部配管接続部３２の上面を覆うようにドレン配管接続部３１が接続されており、上記貫通孔３１１にはドレン配管４が、貫通孔３１２にはドレン配管５が、貫通孔３１３（図１において図示せず）にはドレン配管６が各々接続されている。
【００１４】
ドレン配管４〜６は、原子力発電所の各施設の廃水Ｘを送水するものであり、上記側壁部１ａに沿って設置されている。これらドレン配管４〜６は、上記ドレンファンネル３の周面に対して垂直な方向から各々貫通孔３１１〜３１３に接続されている。すなわち、ドレン配管４〜６は、床部１ｂの上面、つまり駆体１の床面に対して水平な方向から各々貫通孔３１１〜３１３に接続されている。また、ドレン配管４〜６も側壁部１ａの近傍からドレンファンネル３に接続されている。
【００１５】
上述したような構成のドレンファンネル３とドレン配管４〜６を接続する方法について以下に述べる。
【００１６】
駆体内部配管接続部３２は、原子力発電所の駆体を建設する際に、予めコンクリートの中に埋め込まれて固定された状態で設置される。また、ドレン配管４〜６も原子力発電所の各施設から側壁部１ａに沿って、上記駆体内部配管接続部３２の上方にまで敷設されている。作業者は、ドレン配管４〜６開口端に対応する位置にドリル等を用いて貫通孔３１１〜３１３を形成する。続いて作業者は、貫通孔３１１にドレン配管４を、貫通孔３１２にドレン配管５を、貫通孔３１３にドレン配管６を各々溶接・接続すると共に、ドレン配管接続部３１と駆体内部配管接続部３２とを溶接して接続する。
【００１７】
すなわち、作業者は、駆体内部配管接続部３２に溶接される前の別体で設けられたドレン配管接続部３１にドリル等で貫通孔３１１〜３１３を形成するので、正確な位置に、且つ、容易に上記貫通孔３１１〜３１３を形成することができ、ドレン配管４〜６をドレンファンネル３に確実に接続することが可能となると共に、ドレン配管４〜６とドレンファンネル３とを接続する作業の労力を軽減することが可能である。
【００１８】
（第２実施形態）
図３は、本第２実施形態におけるドレンファンネル３Ａの全体構成図である。
この図に示すように、ドレン配管接続部３１Ａは、半球形状に形状設定されており、予め駆体内部配管接続部３２に溶接された状態で設置される。また、ドレン配管４〜６（図示せず）は、半球形状のドレン配管接続部３１Ａの球面に垂直に接続されるように形状設定されて、予め原子力発電所の各施設から側壁部１ａに沿って、上記駆体内部配管接続部３２の上方まで敷設されている。
【００１９】
作業者は、ドレン配管接続部３１Ａのドレン配管４〜６に対応する位置に正確に貫通孔３１１Ａ〜３１３Ａを形成し、貫通孔３１１Ａにドレン配管４を、貫通孔３１２Ａにドレン配管５を、貫通孔３１３Ａにドレン配管６を各々上記球面に対して垂直に接続する。
【００２０】
すなわち、ドレン配管接続部３１Ａが半球形状に形状設定されているため、ドレンファンネル３Ａが第１実施形態における側壁部１ａの近傍に設置されていても、作業者は、ドリル等をドレン配管４〜６が接続される接続面に対して垂直に当てることができ、結果、正確且つ容易にドレン配管接続部３１Ａに貫通孔３１１Ａ〜３１３Ａを形成することができるので、ドレン配管４〜６をドレンファンネル３に確実に接続することが可能となると共に、ドレン配管４〜６とドレンファンネル３Ａとを接続する作業の労力を軽減することが可能である。
【００２１】
なお、上記第２実施形態において、ドレン配管接続部３１Ａを半球形状に形状設置した。しかしながら、これに限定されるものではなく、傾斜面を有した形状に形状設定すれば良く、例えば円錐形、角錐形に形状設定しても良い。この場合、上記ドレン配管４〜６は、各々が接続される接続面に対して垂直に接続されるように予め形状設定される。
【００２２】
（第３実施形態）
図４は、本第３実施形態におけるドレンファンネル３Ｂの全体構成図である。
この図において、３４〜３６は長穴貫通孔、７は開閉蓋である。ドレンファンネル３Ｂは、上面が開放状態で、下部が漏斗形状に形状設置された略円筒形に形状設定されており、予め駆体１に固定されている。このドレンファンネル３Ｂの開放状態の上面には、開閉蓋７が設置されると共に、周面には、長方形状の長穴貫通孔３４〜３６が形成されている。これら長穴貫通孔３４〜３６は、ドレンファンネル３Ｂが工場において製造される際に、設計図に基づいて、ドレン配管４〜６が各々接続される位置に形成されている。また、ドレン配管４〜６（図示せず）は、予め原子力発電所の各施設から側壁部１ａに沿って、ドレンファンネル３の上記長穴貫通孔３４〜３６付近まで設置されており、上記長穴貫通孔３４〜３６に対して垂直に差し込めるように形状設定されている。開閉蓋７は、ドレンファンネル３Ｂの点検等の際に作業者が開けることによってドレンファンネル３Ｂの内部を確認するためのものである。
【００２３】
作業者は、上記長穴貫通孔３４にドレン配管４を、長穴貫通孔３５にドレン配管５を、長穴貫通孔３６にドレン配管６を各々差し込み、これら長穴貫通孔３４〜３６とドレン配管４〜６との隙間を溶接することによって、長穴貫通孔３４〜３６とドレン配管４〜６とを接続する。
【００２４】
すなわち、ドレンファンネル３Ｂに長方形の長穴貫通孔３４〜３６が設けられているので、ドレンファンネル３Ｂを駆体に固定する際に発生する取り付け誤差やドレン配管４〜６の形状誤差が多少生じてもドレン配管４〜６を長穴貫通孔３４〜３６に接続することができ、結果、ドレン配管４〜６とドレンファンネル３Ｂとを確実に接続することが可能となると共に、ドレン配管４〜６とドレンファンネル３Ｂとを接続する作業の労力を軽減することが可能である。
【００２５】
なお、上記第１〜第３実施形態において、ドレン配管を３つ設けた。しかしながら、これに限定されるものではなく、例えば４つや５つでも良い。
【００２６】
また、上記第３実施形態におけるドレンファンネル３Ｂにのみ開閉蓋７を設置した。しかしながら、第１実施形態、第２実施形態におけるドレンファンネル３，３Ａの上部に各ドレンファンネル３，３Ａの形状に適した開閉蓋７を設置しても良い。
【００２７】
【発明の効果】
以上説明したように、本発明によれば、駆体に固定されたドレンファンネルにドレン配管を接続するドレン配管接続方法であって、ドレンファンネルをドレン配管が接続されるドレン配管接続部と、駆体の内部に設置された駆体内部配管が接続される駆体内部配管接続部とに分離させた状態で各々形成し、ドレン配管接続部にドレン配管を接続する所定形状の貫通孔を形成してから、ドレン配管と貫通孔とを接続すると共に、ドレン配管接続部と駆体内部配管とを接続する。すなわち、作業者は別体で設けられたドレン配管接続部にドリル等で貫通孔を形成するので、ドレン配管をドレンファンネルに確実に接続し、ドレンファンネルの正確な位置に貫通孔を形成しやすくし、ドレンファンネルとドレン配管とを接続する作業の労力を軽減することが可能となる。
【００２８】
また、本発明によれば、駆体に固定されたドレンファンネルにドレン配管を接続するドレン配管接続方法であって、上部に傾斜面を有したドレンファンネルの該傾斜面に貫通孔を形成し、ドレン配管を垂直に上記貫通孔に接続する。すなわち、作業者は、上記傾斜面に対して垂直にドリル等を当てられるので、ドレン配管をドレンファンネルに確実に接続し、ドレンファンネルの正確な位置に貫通孔を形成しやすくし、ドレンファンネルとドレン配管とを接続する作業の労力を軽減することが可能となる。
【００２９】
また、本発明によれば、駆体に固定されたドレンファンネルにドレン配管を接続するドレン配管接続方法であって、ドレンファンネルに予め形成された長穴にドレン配管を差し込んでから上記長穴とドレン配管との隙間を溶接する。すなわち、作業者は、多少の取り付け誤差や形状誤差が生じてもドレン配管を長穴に差し込むことができるので、ドレンファンネルとドレン配管との接続に要する作業性を向上させることができる。
【図面の簡単な説明】
【図１】本発明の第１実施形態に係わるドレン配管接続方法を用いて駆体に設置されたドレンファンネルの全体構成図である。
【図２】本発明の第１実施形態に係わるドレンファンネルの全体構成図である。
【図３】本発明の第２実施形態に係わるドレンファンネルの全体構成図である。
【図４】本発明の第３実施形態に係わるドレンファンネルの全体構成図である。
【符号の説明】
１……駆体
１ａ……側壁部
１ｂ……床部
２……駆体内部配管
３，３Ａ，３Ｂ……ドレンファンネル
３１，３１Ａ……ドレン配管接続部
３１１〜３１３，３１１Ａ〜３１３Ａ……貫通孔
３２……駆体内部配管接続部
３２１……排水口
３４〜３６……長穴貫通孔
４〜６……ドレン配管
７……開閉蓋
Ｘ……廃水
【図１】
2004205342.tif 000003
【図２】
2004205342.tif 000004
【図３】
2004205342.tif 000005
【図４】
2004205342.tif 000006